(57)【特許請求の範囲】
【請求項１】
素材シートを抜き取る切断を行う際に、部分的な断続部が形成されるように切断した後に、前記断続部を切断することで形成される印刷用紙であって、
前記断続部の切断跡が、所定の規格寸法に対応する外形位置よりも内側に残るように形成されていることを特徴とする印刷用紙。
【請求項２】
外周側が余白で囲まれる内側領域を印刷領域とし、当該印刷領域は、ミシン目によって外形寸法が特定されるとともに、当該ミシン目に沿って抜き取り可能に設けられていることを特徴とする請求項１記載の印刷用紙。
【請求項３】
前記規格寸法の外周側コーナー相当領域は、コーナーを形成する辺間を直線で結ぶ方向に切り取られ、当該直線内に前記切断跡が形成されることを特徴とする請求項１又は２記載の印刷用紙。
【請求項４】
素材シートに略閉ループ状の切り込みを形成するとともに、当該切り込みの内側領域を打ち抜いて印刷用紙を製造する方法において、
前記切り込みを形成するときに、所定の規格寸法に対応する外形位置よりも内側に、前記切り込みが連続しない少なくとも一つの断続部を形成し、
次いで、前記断続部を切断して切り込みを連続させることで、当該切り込みの内側領域を素材シートから抜き取ることを特徴とする印刷用紙の製造方法。
【請求項５】
前記切り込みを形成する際に、当該切り込みの内周側に印刷時の余白を形成するミシン目を同時に設け、当該ミシン目で囲まれる内側領域を印刷領域とすることを特徴とする請求項４記載の印刷用紙の製造方法。
【請求項６】
前記断続部は、内側に傾斜する一対の傾斜切り込み部間に位置する非切り込み部を設けることで形成されることを特徴とする請求項４又は５記載の印刷用紙の製造方法。
【請求項７】
前記断続部は、辺及び／又はコーナーに設けられることを特徴とする請求項４、５又は６記載の印刷用紙の製造方法。
【発明の詳細な説明】
【技術分野】
【０００１】
本発明は印刷用紙及びその製造方法に係り、特に、印刷位置が厳格に管理される場合の用紙送りを精度良く行って所定位置に印刷を行うことに適合する印刷用紙と、その製造方法に関する。
【背景技術】
【０００２】
印刷用紙を形成する方法としては、トムソン刃等の切断刃を用いて素材シートに閉ループ状の切り込みを形成し、当該切り込みで囲まれる内側のシート部分を印刷用紙として抜き取る方法が知られている。この場合、切断刃が切り込みを形成して素材シートから離れるときに、当該切断刃の内側に前記印刷用紙が残されて付随するため、印刷用紙を切断刃の内側から取り出す作業が必要となり、切断刃の内側に手をアクセスさせることによる作業上の危険が伴い且つ作業の手間が増加する、という不都合がある。
【０００３】
前述した不都合は、例えば、図６（Ａ）に示されるように、素材シート５０に切り込み５１を形成する際に、当該切り込み５１が連続しない断続部５２を形成可能なトムソン刃を用いれば解消することができる。
特許文献１には、切り込みを連続させずに断続部を設けた構成が開示されている。
このように、断続部５２を有する切り込み５１とすれば、当該切り込み５１によって形成される印刷用紙Ｓがトムソン刃側に付随することがなく、仮に、トムソン刃に付随することがあっても、素材シート５０の外周側を引っ張ることで、刃の内側に手をアクセスすることなく印刷用紙Ｓを取り出すことが可能となる。
【特許文献１】特開２００６−９５６６０号公報
【発明の開示】
【発明が解決しようとする課題】
【０００４】
しかしながら、前記断続部５２を備えた切り込み５１とした場合には、当該断続部５２を別途に切断しなければならない。この点、特許文献１は断続部をカッターで切断する手法を開示しているものの、断続部の位置を目視して正確に切断する作業は決して容易ではない。また、作業者の熟練度を要求するのみならず、熟練度の相違により、用紙寸法の正確性を担保することができない、という問題もある。
更に、カッターを用いることなく手作業にて断続部を強制的に破断させた場合には、図６（Ｂ）に示されるように、断続部が形成されていた箇所に、切断跡としての突出部５４が形成されてしまい、これら突出部５４の存在により、印刷用紙Ｓをプリンタにセットして給紙したときに、用紙が傾いて送られる状態、すなわち、スキューを生じさせてしまう要因となる。
このようなスキューは、例えば、印刷用紙Ｓにおける内側の特定領域を印刷領域として印刷する書式設定がなされている場合に、当該領域からはみ出て印刷が行われてしまう、という不都合を招来する。
なお、印刷用紙における印刷開始・終了位置等によって特定される印刷範囲が視覚的に認識できる印刷用紙はあまり知られていない。
【０００５】
［発明の目的］
本発明は、前述した不都合に着目して案出されたものであり、その目的は、印刷時の給紙位置を正確に保つことのできる印刷用紙及びその製造方法を提供することにある。
また、本発明の他の目的は、素材シートから印刷用紙を手作業によって抜き取ったときの切断跡が、印刷時における給紙位置に影響を与えることのない印刷用紙及びその製造方法を提供することにある。
本発明の更に他の目的は、印刷領域が明瞭に認識できる印刷用紙を提供することにある。
【課題を解決するための手段】
【０００６】
前記目的を達成するため、本発明は、素材シートを抜き取る切断を行う際に、部分的な断続部が形成されるように切断した後に、前記断続部を切断することで形成される印刷用紙であって、
前記断続部の切断跡が、所定の規格寸法に対応する外形位置よりも内側に残るように形成される、という構成を採っている。
【０００７】
前記印刷用紙において、外周側が余白で囲まれる内側領域を印刷領域とし、当該印刷領域は、ミシン目によって外形寸法が特定されるとともに、当該ミシン目に沿って抜き取り可能に設けられる、という構成を採ることができる。
【０００８】
また、前記印刷用紙において、前記規格寸法の外周側コーナー相当領域は、コーナーを形成する辺間を直線で結ぶ方向に切り取られ、当該直線内に前記切断跡が形成される。
【０００９】
更に、本発明は、素材シートに略閉ループ状の切り込みを形成するとともに、当該切り込みの内側領域を打ち抜いて印刷用紙を製造する方法において、
前記切り込みを形成するときに、所定の規格寸法に対応する外形位置よりも内側に、前記切り込みが連続しない少なくとも一つの断続部を形成し、
次いで、前記断続部を切断して切り込みを連続させることで、当該切り込みの内側領域を素材シートから抜き取る、という手法を採っている。
【００１０】
前記製造方法において、前記切り込みを形成する際に、当該切り込みの内周側に印刷時の余白を形成するミシン目を同時に設け、当該ミシン目で囲まれる内側領域を印刷領域として形成される、という手法を採ることができる。
【００１１】
また、前記断続部は、内側に傾斜する一対の傾斜切り込み部間に位置する非切り込み部により構成することが好ましい。
【００１２】
更に、前記断続部は、辺及び／又はコーナーに設けられる、という方法を採ることが好ましい。
【発明の効果】
【００１３】
本発明によれば、印刷領域の外形寸法がミシン目によって特定されていることで、前記印刷領域内に印刷を行うように書式設定された内容の印刷を行う場合の用紙として利用することができる。また、印刷が終了した後には、ミシン目に沿って外周側を切り取ることで、印刷された部分のみを利用することができる。
また、印刷用紙を製造する際に、素材シートを完全に打ち抜くことのない断続部を設け、当該断続部が所定の規格に対応した外形寸法位置よりも内側に形成されるため、印刷用紙を素材シートから手作業で抜き取った後に突出部が残される場合があっても、当該突出部が前記外形寸法以内であれば、印刷の給紙ずれをもたらす原因になることはない。従って、カッター刃等を用いて素材シートから印刷用紙を切り取る作業も不要となる。
また、前記切り込みを形成する際に、ミシン目も同時に成形可能としたことで、印刷用紙の製造工程数を最小化することができる。
更に、前記断続部が一対の傾斜切り込み部間に位置する非切り込み部により構成されることで、トムソン刃等を用いて刃型を形成する際に、トムソン刃の直線的な曲げ加工のみで刃型を形成できることとなり、切断刃の取り付け構造が複雑になることはない。
また、断続部を辺及び／又はコーナーに設ける構成では、素材シートに切り込みを形成したときに、印刷領域を素材シート側に安定して残すことが可能となる。しかも、素材シートから抜き取られた印刷用紙のコーナーには、前記傾斜切り込み部によって形成される傾斜縁が残る形状となるため、用紙送り方向への差し込み作業並びに給紙動作を安定的に行うことができる。
【発明を実施するための最良の形態】
【００１４】
以下、本発明の好ましい実施形態を、図面を参照しながら詳細に説明する。
【００１５】
図１には、本実施形態に係る印刷用紙の製造方法を説明するための平面図が示され、図２には、印刷用紙の斜視図が示されている。また、図３には、図１の一部拡大平面図が示されている。これらの図において、印刷用紙Ｓは、素材シート１０の面内に同時に複数形成され、素材シート１０は、幅方向（図１中上下方向）及び長さ方向（同図中左右方向）に複数の印刷用紙Ｓを形成する幅と長さを備えたロール紙又は枚葉紙が用いられている。
【００１６】
前記印刷用紙Ｓは、図示しない切断刃としてのトムソン刃を用いて略閉ループ状の切り込み１２を素材シート１０に形成することによって形成される。また、各印刷用紙Ｓの領域内には、左右両側の上下方向と、上下両側の左右方向に延びるミシン目１３が切り込み１２と同時に形成され、ミシン目１３よりも外側の領域は、予め設定された印刷書式に対応する印刷時の余白Ｍを形成する一方、この余白Ｍで囲まれる内側領域が印刷領域Ｓ１として形成されるようになっている。ここで、特に限定されるものではないが、本実施形態では、印刷用紙Ｓは、規格寸法であるＡ４サイズに略対応する外形に設けられている。
【００１７】
前記切り込み１２は、各コーナー及び長辺側の中央部に断続部１５、１６を設けることによって、部分的に素材シート１０と印刷用紙Ｓとが繋がった部分を残すように形成されている。従って、トムソン刃で素材シート１０に切り込み１２を形成して素材シート１０から離間するときに、当該トムソン刃の内側に印刷用紙Ｓが抜き取られて付随することが防止される。
【００１８】
前記コーナーの断続部１５は、図４（Ａ）の拡大平面図に示されるように、Ａ４サイズの本来のコーナー外形位置を示す二点鎖線位置よりも内側に傾斜する一対の傾斜切り込み部１５Ａ、１５Ａ間を不連続に設け、これら傾斜切り込み部１５Ａの中間に非切り込み部１７を設けることによって形成されている。すなわち、傾斜切り込み部１５Ａ及び非切り込み部１７は、規格寸法のコーナーを形成する辺間を直線で結ぶ方向に形成されている。また。長辺側の断続部１６は、図４（Ｂ）に示されるように、Ａ４サイズの本来の長辺側外形位置を示す二点鎖線位置よりも内側に傾斜する一対の傾斜切り込み部１６Ａ、１６Ａ間を不連続に設けてこれらの中間を非切り込み部１８とすることによって形成されている。ここで、傾斜切り込み部１５Ａは、二点鎖線で示されるコーナーと傾斜切り込み部１５Ａの傾斜始点との距離Ｌが５ｍｍに設定されているとともに、非切り込み部１７の長さが０．５ｍｍに設定されている。また、傾斜切り込み部１６Ａの長さＬ１は、約３ｍｍとされ、非切り込み部１８の長さは０．５ｍｍに設定され、非切り込み部１８の位置、すなわち、図４（Ｂ）中Ａ４二点鎖線位置との間の高さＨが１ｍｍとなるように設けられている。
【００１９】
本実施形態において、前記印刷用紙Ｓの面内中央部には、幅方向に沿って延びる折り曲げ筋２０が形成されている（図４（Ｃ）参照）。この折り曲げ筋２０は、トムソン刃内に片部材を配置することにより、切り込み１２の形成と同時に形成することができる。ここで、折り曲げ筋２０は、前記印刷領域Ｓ１の長手方向中心位置に設けられており、印刷終了後に余白Ｍを切り取って印刷用紙Ｓから印刷領域Ｓ１を抜き取った後に、当該印刷領域のシートを二つ折り可能とし、これにより、ＣＤケース内に収容されるジャケットとして利用可能となっている。
【００２０】
なお、前記切り込み１２及びミシン目１３を形成するトムソン刃、及び折り曲げ筋２０を形成する片部材は、図示しない刃型プレートの面内四箇所領域に、前記切り込み１２、ミシン目１３及び折り曲げ筋２０の位置に対応して配置されており、一枚若しくは複数枚に重ねた素材シート１０を所定の支持台上に配置した状態で素材シート上に押圧することで切り込み１２等が形成できるようになっている。
【００２１】
切り込み１２等を形成した後に刃型プレートが素材シート１０から離間するときは、前記非切り込み部１７、１８の存在により、印刷用紙Ｓが素材シート１０側に残される。そして、作業者は、非切り込み部１７、１８の部分を手作業で破断することにより、素材シート１０から印刷用紙Ｓを抜き取ることができる。
この際、カッターを用いることなく非切り込み部１７、１８を破断させるため、非切り込み部１７、１８の切断跡が残り得ることになるが、本発明では、規格寸法、例えばＡ４サイズに対応した本来の外形位置よりも内側に非切り込み部１７、１８が設けられているため、図５（Ａ）、（Ｂ）に示されるように、切断跡となる突出部１７ａ、１８ａが前記外形位置（同図中二点鎖線位置）よりも内側に残されることとなる。
【００２２】
本実施形態によれば、前記印刷用紙Ｓは、印刷領域Ｓ１に印刷を行うものとして構成されており、当該印刷領域Ｓ１の位置、大きさは、予め書式設定された印刷データ、例えば、インターネット回線を通じて音楽データをダウンロードしたときの、当該音楽データに付随するジャケット用印刷データを印刷する用紙として利用される。この印刷データは、印刷領域Ｓ１の全面に地色を印刷するデータを含んでいる場合、或いは、印刷領域Ｓ１の外縁直近内側に文字等を印刷するデータを含んでいる場合には、印刷位置の僅かなずれによって、印刷領域Ｓ１をはみ出て印刷されることになるが、本実施形態の印刷用紙Ｓによれば非切り込み部１７、１８が規格寸法用紙の外形位置より内側に設けられていることで、スキューをもたらす要因が排除されているため、印刷領域Ｓ１に一致した印刷を実現できることとなる。
【００２３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２４】
例えば、前記実施形態では、傾斜切り込み部１５Ａ、１６Ａの長さや、非切り込み部１７、１８の長さ等は例示に過ぎない。これらの長さ、大きさ、或いは形成位置は、印刷領域Ｓ１と干渉しない限り、種々変更可能であり、また、印刷用紙ＳがＡ４サイズよりも大きいものや、小さいものである場合には、増加、減少させることを妨げない。
【図面の簡単な説明】
【００２５】
【図１】印刷用紙を製造する方法を示す概略平面図。
【図２】印刷用紙の斜視図。
【図３】図１の一部拡大平面図。
【図４】（Ａ）は切り込みのコーナー領域における断続部を示す拡大平面図、（Ｂ）は長辺側の切り込みの断続部を示す拡大平面図、（Ｃ）は図３中Ａ−Ａ線矢視拡大断面図。
【図５】（Ａ）、（Ｂ）は、図４（Ａ）、（Ｂ）に示される断続部の切断跡を示す拡大平面図。
【図６】（Ａ）は従来の印刷用紙の製造方法を説明するための要部平面図、（Ｂ）は、印刷用紙を抜き取った状態を示す平面図。
【符号の説明】
【００２６】
１０  素材シート
１２  切り込み
１３  ミシン目
１６  断続部
１７，１８  非切り込み部
Ｍ  余白
Ｓ  印刷用紙
Ｓ１  印刷領域
【図１】
0005023361.tif 000002
【図２】
0005023361.tif 000003
【図３】
0005023361.tif 000004
【図４】
0005023361.tif 000005
【図５】
0005023361.tif 000006
【図６】
0005023361.tif 000007